(57)【要約】      （修正有）【課題】調節可能な焦点距離を有するレンズを備えた光学装置を提供する。【解決手段】光源５０は、レンズ１０によって影響され、それに当たる光の強度に対応する第１の出力信号を生成するように設計された少なくとも第１の感光素子３０に当たる光５１を放射するように構成され、第１の感光素子３０は、放射された光５１の強度分布の一部分のみを計測するように構成され、光源、レンズ及び第１の感光素子は、レンズ１０の焦点距離）の変化が、第１の感光素子に当たる放射された光の強度分布を変化させるように構成され、その結果、レンズの各焦点距離が、第１の感光素子によって生成される特定の第１の出力信号に関連付けられる。さらに、対応する方法に関する。【選択図】図１
2020064320.tif 000002
【特許請求の範囲】
【請求項１】
光学装置であって、
−  調節可能な焦点距離（ｆ）を有するレンズ（１０）と、
−  前記レンズ（１０）によって影響され、それに当たる光の強度に対応する第１の出力信号（Ｏ１）を生成するように設計された少なくとも第１の感光素子（３０）に当たる光（５１）を放射するように構成された光源（５０）と、
を備え、
−  前記第１の感光素子（３０）は、前記放射された光（５１）の強度分布の一部分のみを計測するように構成され、
−  前記光源（５０）、前記レンズ（１０）及び前記第１の感光素子（３０）は、前記レンズ（１０）の前記焦点距離（ｆ）の変化が、前記第１の感光素子（３０）に当たる前記放射された光（５１）の強度分布を変化させるように構成され、その結果、前記レンズ（１０）の各焦点距離（ｆ）が、前記第１の感光素子（３０）によって生成される特定の第１の出力信号（Ｏ１）に関連付けられる、ことを特徴とする光学装置。
【請求項２】
前記光学装置（１）は第２の感光素子（４０）を備え、前記第２の感光素子（４０）は前記放射された光の前記強度分布の一部分のみを計測するように構成され、前記光源（５０）は、前記レンズ（１０）によって影響され、前記第１の感光素子（３０）及び／又は前記第２の感光素子（４０）に当たる光（５１）を放射するように構成され、前記第２の感光素子（４０）は、前記第２の感光素子（４０）に当たる前記光（５１）の強度に対応する第２の出力信号（Ｏ２）を生成するように設計され、前記光源（５０）、前記レンズ（１０）及び前記感光素子（３０、４０）は、前記レンズ（１０）の前記焦点距離（ｆ）の変化が、前記第１の感光素子（３０）及び／又は前記第２の感光素子（４０）に当たる前記放射された光（５１）の前記強度分布を変化させるように構成され、その結果、前記レンズ（１０）の各焦点距離（ｆ）が、前記第１の感光素子（３０）によって生成される特定の第１の出力信号（Ｏ１）及び前記第２の感光素子（４０）によって生成される特定の第２の出力信号（Ｏ２）に関連付けられる、ことを特徴とする、請求項１に記載の光学装置。
【請求項３】
前記レンズ（１０）は第１の焦点距離及び異なる第２の焦点距離を備え、前記レンズ（１０）が前記第１の焦点距離を備えるように調節されるとき、前記強度分布（５１）のピーク（Ｐ）が前記第１の感光素子（３０）に命中し、前記レンズ（１０）が前記第２の焦点距離を備えるように調節されるとき、前記ピーク（Ｐ）が前記第２の感光素子（４０）に命中することを特徴とする、請求項１又は２に記載の光学装置。
【請求項４】
前記光学装置（１）は、前記レンズ（１０）の前記焦点距離（ｆ）の変化が、前記第１の感光素子（３０）及び／又は前記第２の感光素子（４０）に当たる前記放射された光（５１）の前記強度分布の幅（Ｗ）を変化させるように、及び／又は、前記レンズ（１０）の前記焦点距離（ｆ）の変化が、前記第１の感光素子（３０）及び／又は前記第２の感光素子（４０）に当たる前記放射された光（５１）の前記強度分布の前記ピーク（Ｐ）の、前記第１の感光素子（３０）及び／又は前記第２の感光素子（４０）に対する位置を移動させるように、構成されることを特徴とする、請求項１〜３のいずれか１項に記載の光学装置。
【請求項５】
前記レンズ（１０）の前記焦点距離（ｆ）を所定の焦点距離に調節するために、前記光学装置（１）は、前記レンズ（１０）の前記焦点距離（ｆ）を調節するための手段（２０）を制御するように設計された制御ユニット（６０）を備え、前記制御ユニット（６０）は前記手段（２０）を、前記手段（２０）が前記レンズ（１０）の前記焦点距離（ｆ）を、前記第１及び／又は第２の出力信号（Ｏ１、Ｏ２）が基準出力信号に近づくように、或は、前記第１及び第２の出力信号（Ｏ１、Ｏ２）から決定されるさらに別の出力信号（Ｘ）が基準出力信号に近づくように変化させる、ように制御するように設計され、前記基準出力信号は前記所定の焦点距離に関連付けられることを特徴とする、請求項１〜４のいずれか１項に記載の光学装置。
【請求項６】
前記光学装置（１）は、複数の焦点距離（ｆ）並びに各焦点距離に割当てられる複数の基準出力信号が格納されるメモリ（７０）を備えることを特徴とする、請求項１〜５のいずれか１項に記載の光学装置。
【請求項７】
前記光学装置（１）は、前記光源（５０）によって放射された前記光（５１）を、それが前記第１及び／又は第２の感光素子（３０、４０）に当たる前に、反射するように構成された第１の光学素子（８０）をさらに備えることを特徴とする、請求項１〜６のいずれか１項に記載の光学装置。
【請求項８】
前記第１の光学素子（８０）は、前記レンズ（１０）の第１のカバー素子であり、前記第１のカバー素子（８０）と前記レンズ（１０）の弾性変形可能な膜（１１）とが、流体（Ｆ）で満たされる前記レンズ（１０）の体積（Ｖ）を定めることを特徴とする、請求項７に記載の光学装置。
【請求項９】
前記光学装置（１）は、前記光源（５０）によって放射された前記光（５１）を、それが前記第１及び／又は第２の感光素子（３０、４０）に当たる前に、反射するように具体的に構成された第２の光学素子（９０）を備えることを特徴とする、請求項１〜８のいずれか１項に記載の光学装置。
【請求項１０】
前記第２の光学素子（９０）は前記レンズ（１０）の第２のカバー素子であり、前記膜（１１）は、前記第１及び第２のカバー素子（８０、９０）の間に配置されることを特徴とする、請求項９に記載の光学装置。
【請求項１１】
前記第２の光学素子（９０）は、前記第１の光学素子（３０）又は前記レンズ（１０）に対して傾けられ、前記光源（５０）によって放射された前記光（５１）を、前記第１及び／又は第２の感光素子（３０、４０）の方向に反射するように、具体的には主光信号（１００）を透過するように、設計されることを特徴とする、請求項９に記載の光学装置。
【請求項１２】
前記光学装置（１）はさらに別の光源（５２）を備え、前記さらに別の光源（５２）は、前記レンズ（１０）によって影響され、前記第１の感光素子（３０）及び／又は第２の感光素子（４０）に当たる光（５３）を放射し、その結果、前記光源（５０）から前記感光素子（３０、４０）のうちの１つまでの各光路（Ｔ１１、Ｔ１２）が、前記さらに別の光源（５２）から前記感光素子（３０、４０）のうちの１つまでの対応する光路（Ｔ２１、Ｔ２２）に対して対称的となるように、構成されることを特徴とする、請求項１〜１１のいずれか１項に記載の光学装置。
【請求項１３】
前記光学装置（１）は、前記第１及び／又は第２の光源（５０、５２）の光が、前記光学装置及び／又はレンズ（１０）から出ること又はそれらに再度入ることを防ぐように構成された少なくとも１つの光学フィルタ（５４）を備えることを特徴とする、請求項１〜１２のいずれか１項に記載の光学装置。
【請求項１４】
前記光学装置（１）、具体的には前記レンズ（１０）は、光散乱及び／又は屈折によって前記放射された光（５１、５３）に影響を及ぼすように構成され、具体的には、前記光学装置（１）、具体的には前記レンズ（１０）は、前記光散乱を起こすための少なくとも１つの回折素子（５５）を備え、具体的には、前記少なくとも１つの回折素子（５５）は前記膜（１１）の上に配置され、又は前記膜（１１）によって構成されることを特徴とする、請求項１〜１３のいずれか１項に記載の光学装置。
【請求項１５】
前記光学装置（１）は、前記第１及び／又は第２の感光素子（３０、４０）に熱的に接触する少なくとも１つの温度センサ（５６）を備え、具体的には前記光学装置（１）は、前記第１及び／又は第２の感光素子（３０、４０）の温度依存感度を補償するために、前記少なくとも１つの温度センサ（５６）を用いるように構成されることを特徴とする、請求項１〜１４のいずれか１項に記載の光学装置。
【請求項１６】
前記レンズ（１０）は、前記レンズ（１０）の光軸（Ａ）に沿って前記レンズ（１０）を透過する主光信号（１００）を集束又は発散させるように設計され、前記光源（５０）、前記第１及び／又は第２の感光素子（３０、４０）、並びに特に前記第１及び／又は第２の光学素子（８０、９０）は、前記主光信号（１００）が前記第１及び／又は第２の出力信号（Ｏ１、Ｏ２）に影響を及ぼさないように、前記レンズ（１０（５０））に対して構成されることを特徴とする、請求項１〜１５のいずれか１項に記載の光学装置。
【請求項１７】
前記光学装置（１）は、前記第１及び／又は第２の感光素子（３０、４０）によって生成される背景ノイズを、前記光源（５０）が光を放射しないときに計測し、前記第１の感光素子（３０）によって計測された前記背景ノイズを前記第１の出力信号（Ｏ１）から差し引き、及び／又は前記第２の感光素子（４０）によって計測された前記背景ノイズを前記第２の出力信号（Ｏ２）から差し引くように設計されることを特徴とする、請求項１〜１６のいずれか１項に記載の光学装置。
【請求項１８】
前記第１及び／又は第２の出力信号（Ｏ１、Ｏ２）の中の外部ノイズを減らすために、前記光学装置（１）は、前記光源（５０）が変調された光（５００）を放射するように構成され、前記光学装置（１）は、前記生成された第１及び／又は第２の出力信号（Ｏ１、Ｏ２）を復調し、バンドパス・フィルタ又はローパス・フィルタ（１１０）によって外部ノイズを除去するようにさらに構成されることを特徴とする、請求項１〜１７のいずれか１項に記載の光学装置。
【請求項１９】
前記光学装置（１）は、ユーザの眼（３００）の表面（３００ａ）の上に直接配置されるように構成されたコンタクトレンズであることを特徴とする、請求項１〜１８のいずれか１項に記載の光学装置。
【請求項２０】
前記レンズ（１０）は、前記コンタクトレンズ（１）の焦点距離を調節するように構成された機構（３０３）、及び前記機構（３０３）を制御するための制御ユニット（３０４）を備え、前記制御ユニット（３０４）は、前記第１及び／又は第２の出力信号を用いて前記機構を制御するように構成されることを特徴とする、請求項１９に記載の光学装置。
【請求項２１】
前記光源（５０）、前記レンズ（１０）及び前記第１の感光素子（３０）は、放射された光（５１）が前記第１の感光素子（３０）に当たる前に前記ユーザの前記眼（３００）のレンズ（３０１）により又は前記ユーザの前記眼（３００）の網膜（３００ｂ）によって反射されるようにさらに構成され、その結果、前記第１の感光素子（３０）に当たる前記放射された光（５１）の前記強度分布が、前記眼（３００）の前記レンズ（３０１）の形状が変化するとき、又は前記眼（３００）の前記表面（３００ａ）の上の前記コンタクトレンズ（１）の位置が変化するとき、変化することを特徴とする請求項１９又は２０に記載の光学装置。
【請求項２２】
前記光学装置（１）は、ユーザの眼（３００）の前に、前記レンズ（１０）が前記ユーザの前記眼（３００）の前に配置されるように、着用されるように構成されることを特徴とする、請求項１〜２１のいずれか１項に記載の光学装置。
【請求項２３】
前記レンズ（１０）は、前記レンズ（１０）又は光学装置（１）の前記焦点距離を調節するための機構（３０３）、及び前記機構（３０３）を制御するための制御ユニット（３０４）を備え、前記制御ユニット（３０４）は、前記第１及び／又は第２の出力信号を用いて前記機構（３０３）を制御するように構成されることを特徴とする、請求項２２に記載の光学装置。
【請求項２４】
前記光源（５０）、前記レンズ（１０）及び前記第１の感光素子（３０）は、放射された光（５１）が前記第１の感光素子（３０）に当たる前に前記ユーザの前記眼（３００）の前記レンズ（３０１）又は前記ユーザの前記眼（３００）の前記網膜（３００ｂ）により、或は前記ユーザの前記眼（３００）の角膜（３００ｃ）によって反射されるようにさらに構成され、その結果、前記第１の感光素子（３０）に当たる前記放射された光（５１）の前記強度分布が、前記眼（３００）の前記レンズ（３０１）の形状が変化するとき、又は前記光学装置（１）に対する前記眼（３００）の位置が変化するとき、変化することを特徴とする請求項２２又は２３に記載の光学装置。
【請求項２５】
レンズ（１０）の焦点距離（ｆ）を、具体的には、請求項１〜２４のいずれか１項に記載の光学装置（１）を用いて、調節する方法であって、
−  光源（５０）によって光（５１）を放射するステップであって、前記光（５１）が前記レンズ（１０）によって影響され、前記光（５１）の一部だけが少なくとも第１の感光素子（３０）に当たり、前記一部は、
○  前記レンズ（１０）の前記焦点距離（ｆ）、
○  コンタクトレンズ（１）として形成される前記光学装置に接触するユーザの眼（３００）のレンズ（３０１）の現在の形状、及び／又は前記ユーザの前記眼（３００）の表面（３００ａ）の上の前記コンタクトレンズ（１）の現在の位置、
○  前記光学装置（１）に面するユーザの眼（３００）のレンズ（３０１）の現在の形状、及び／又は前記ユーザの前記眼（３００）に対する前記光学装置（１）の位置、
のうちの１つに依存し、
前記第１の感光素子（３０）は、前記光（５１）の前記一部が前記第１の感光素子（３０）に当たるとき第１の出力信号（Ｏ１）を生成し、前記第１の出力信号（Ｏ１）は前記第１の感光素子（３０）に当たる前記光（５１）の前記一部の強度に対応する、
放射するステップと、
−  前記光学装置の前記レンズ（１０）の前記焦点距離（ｆ）を、前記第１の出力信号を制御信号として用いて所定の焦点距離に、或は、前記第１の出力信号（Ｏ１）、又は前記第１の出力信号（Ｏ１）を補助として決定されたさらに別の出力信号が、前記所定の焦点距離に関連付けられる基準出力信号に近づくように、調節するステップと、
を含む方法。
【請求項２６】
視力矯正のための、ユーザの眼（３００（３０１））の表面（３００ａ）の上に直接配置されるように構成された、コンタクトレンズであって、
−  前記コンタクトレンズの焦点距離（ｆ）を調節するために制御されるように構成されたレンズ（１０）、
を備え、
前記コンタクトレンズは、光（５１）を放射するための光源（５０）と、放射された光（５１）を検出するための感光素子（３０）であって、前記感光素子（３０）に当たる前記放射された光（５１）の強度に応じた出力信号をもたらすための前記感光素子（３０）とを備え、前記光源（５０）及び前記感光素子（３０）は、前記光源（５０）によって放射された光（５１）が、前記感光素子（３０）に当たる前に前記ユーザの前記眼（３００）のレンズ（３０１）によって又は前記ユーザの前記眼（３００）の網膜（３００ｂ）によって反射されるように、構成される、ことを特徴とするコンタクトレンズ。
【請求項２７】
前記光源（５０）及び前記感光素子（３０）は、前記感光素子（３０）に当たる前記放射された光（５１）の前記強度が、前記ユーザの前記眼（３００）の前記レンズ（３０１）の形状が変化するとき、及び／又は、前記眼（３００）の前記表面（３００ａ）の上の前記コンタクトレンズの位置が変化するとき、変化し、その結果、前記出力信号も変化するようにさらに構成されることを特徴とする、請求項２６に記載のコンタクトレンズ。
【請求項２８】
前記コンタクトレンズは、前記レンズ（１０）の前記焦点距離を調節するための機構（３０３）、及び前記機構（３０３）を制御するための制御ユニット（３０４）を備え、前記制御ユニット（３０４）は、前記出力信号を用いて前記機構（３０３）を制御するように構成されることを特徴とする、請求項２７に記載のコンタクトレンズ。
【請求項２９】
視力矯正のための光学装置であって、前記光学装置（１）はユーザの眼（３００）の前に着用されるように構成され、
−  前記ユーザの前記眼（３００）の前に配置されるように構成されたレンズ（１０）であって、前記レンズ（１０）又は前記光学装置（１）の焦点距離（ｆ）を調節するために制御されるように構成されたレンズ（１０）、
を備え、
前記光学装置（１）は、光（５１）を放射するための光源（５０）と、放射された光（５１）を検出するための感光素子（３０）であって、前記感光素子（３０）に当たった前記放射された光（５１）の強度に応じた出力信号をもたらすための感光素子（３０）とを備え、前記光源（５０）及び前記感光素子（３０）は、前記光源（５０）によって放射された光（５１）が、前記感光素子（３０）に当たる前に、前記ユーザの前記眼（３００）のレンズ（３０１）によって、又は、前記ユーザの前記眼（３００）の網膜（３００ｂ）によって、又は、前記ユーザの前記眼（３００）の角膜（３００ｃ）によって反射されるように、構成される、ことを特徴とする光学装置。
【請求項３０】
前記光源（５０）及び前記感光素子（３０）は、前記感光素子（３０）に当たる前記放射された光（５１）の前記強度が、前記ユーザの前記眼（３００）の前記レンズ（３０１）の形状が変化するとき、及び／又は前記光学装置（１）に対する前記ユーザの前記眼（３００）の位置が変化するとき、変化し、その結果、前記出力信号も変化するように、さらに構成されることを特徴とする、請求項２９に記載の光学装置。
【請求項３１】
前記光学装置（１）は、前記レンズ（１０）又は光学装置（１）の前記焦点距離を調節するための機構（３０３）、及び前記機構（３０３）を制御するための制御ユニット（３０４）を備え、前記制御ユニット（３０４）は、前記出力信号を用いて前記機構（３０３）を制御するように構成されることを特徴とする、請求項３０に記載の光学装置。
【発明の詳細な説明】
【技術分野】
【０００１】
本発明は、請求項１による光学装置、請求項２５による方法、並びに請求項２６の特徴を有するコンタクトレンズ、及び光学装置、具体的には請求項２９の特徴を有するめがね（眼鏡とも呼ばれる）に関する。
【背景技術】
【０００２】
そのような光学装置は、例えば、レンズの表面又は膜が複数の異なる曲率であって、各々のそれら曲率がレンズの異なる焦点距離に対応する曲率を取ることができるようなレンズの変形可能な表面又は膜のために、或は、調節可能な焦点のレンズが、レンズの屈折率を調節できる（例えば、局所的に）ように設計されたレンズであることのために、レンズが複数の異なる焦点距離を取ることができる、調節可能な焦点距離を有するレンズを備える。これらのレンズはまた焦点調整可能レンズとも呼ばれる。さらに、光学装置は、レンズの焦点距離を調節するため（例えば、レンズの前記表面／膜を、表面／膜が前記曲率のうちの１つを取るように変形させるため、又は屈折率を局所的に変化させるため）に設計された（例えば、作動）手段又は機構を備えることができる。上記の種類のレンズは、例えば、特許文献１、特許文献２又は特許文献３に記載されている。
【先行技術文献】
【特許文献】
【０００３】
【特許文献１】米国特許仮出願第６１／１６０，０４１号
【特許文献２】国際公開第２０１０／１０４９０４号
【特許文献３】国際公開第２００９／０２１３４４（Ａ１）号
【発明の概要】
【発明が解決しようとする課題】
【０００４】
レンズの表面の形状／曲率及びレンズの屈折率は、レンズ自体又はレンズの環境の変化する温度の影響を受ける可能性があるので、レンズの焦点距離は変化することがある。従って、原理的に、焦点調整可能レンズの実際の焦点距離を簡単且つ堅固な仕方で決定できることが望ましい。さらに、焦点距離を簡単且つ堅固な方法で制御できることが特に望ましい。
【課題を解決するための手段】
【０００５】
上記の課題は、請求項１の特徴を有する光学装置によって解決される。本発明の好ましい実施形態は従属請求項に記載され、又は以下に説明される。
【０００６】
請求項１によれば、光学装置は、前記レンズによって影響され（例えば、変調又は屈折され）、少なくとも第１の感光素子（例えば、フォトダイオード又は類似の装置、例えば、感光性熱電発生器、位置検出素子（ＰＳＤ：ｐｏｓｉｔｉｏｎ  ｓｅｎｓｉｔｉｖｅ  ｄｅｖｉｃｅ）、フォトダイオード・アレイ（ＰＤＡ：ｐｈｏｔｏｄｉｏｄｅ  ａｒｒａｙ）、クワドラント・ダイオード（ＱＰＤ：ｑｕａｄｒａｎｔ  ｄｉｏｄｅ）、又は電荷結合素子（ＣＣＤ：ｃｈａｒｇｅ  ｃｏｕｐｌｅｄ  ｄｅｖｉｃｅ））に当たる光を放射するように構成された少なくとも１つの光源（例えば、発光ダイオード（ＬＥＤ：ｌｉｇｈｔ  ｅｍｉｔｔｉｎｇ  ｄｉｏｄｅ）又はレーザ）をさらに備え、ここで、第１の感光素子は、それに当たる光の強度に対応する出力信号を生成するように設計され、具体的には、第１の感光素子は、前記放射された光の強度分布の一部分のみ、即ち、少なくとも１つの第１の感光素子に実際に命中する前記分布の一部分（即ち、前記光の一部）のみを計測するように構成され、光学装置（例えば、光源、レンズ及び少なくとも１つの第１の感光素子並びに結局は他の光学素子、以下を参照されたい）は、前記レンズの焦点距離の変化が、第１の感光素子に当たる放射された光の強度分布を変えるように構成され、その結果、レンズの各焦点距離が、第１の感光素子によって（又はその助けにより）生成される特定の（即ち、一意的な）第１の出力信号に対応する。
【０００７】
本発明のこの原理は、本発明による光学装置／システムを、例えば、全ての信号がフォトダイオードによって集められる乱視用レンズの手法によるよりも、より小型にすることを可能にする。
【０００８】
さらに、本発明は、（少なくとも１つの）第１の感光素子（例えば、フォトダイオード）を前記放射された光の（例えばガウス型）強度分布（放射された光は、前記強度分布、即ち、中心にピーク又は極大があり、外側に向かって減少する強度を有する光ビームと見なすことができる）の中心に配置する必要がないので、許容差にあまり敏感ではない計測方法に対応する。有利なことに、本発明による光学装置は、具体的には、焦点距離の変化が、（少なくとも１つの）第１の感光素子に当たる光の前記強度分布の幅（例えば、半値全幅（ｆｕｌｌ  ｗｉｄｔｈ  ｈａｌｆ  ｍａｘｉｍｕｍ））を変化させるように設計される。さらに、本発明による光学装置は、具体的には、焦点距離の変化が、前記放射された光の強度分布の中心（例えば、ピーク又は極大）、及びそれゆえに（少なくとも１つの）第１の感光素子に当たる光の強度分布を移動させるように設計される。換言すれば、焦点距離の変化が、第１の感光素子によって所与の点又は範囲に集められる光の強度を変化させる。
【０００９】
本発明の一実施形態によれば、光学装置は第２の感光素子（又はさらに２つより多くのそのような素子）を備え、光源は、前記レンズによって影響され（例えば、変調又は屈折され）、第１の感光素子及び／又は第２の感光素子に当たる光を放射するように構成され、第２の感光素子は、第２の感光素子に当たる光の強度に対応する第２の出力信号を生成するように設計され、光源、レンズ及び前記感光素子は、前記レンズの焦点距離の変化が、第１の感光素子及び／又は第２の感光素子に当たる放射された光の強度分布を変化させるように構成され、その結果、レンズの各焦点距離が、第１の感光素子によって生成される特定の第１の出力信号及びさらなる第２の感光素子によって生成される特定の第２の出力信号に関連付けられる。
【００１０】
本発明の好ましい実施形態によれば、光学装置のレンズは、第１の焦点距離及び異なる第２の焦点距離（例えば、極小及び極大焦点距離）を備え、レンズが前記第１の焦点距離を備えるように調節されるとき、強度分布のピークが第１の感光素子に命中し、レンズが第２の焦点距離を備えるように調節されるとき、前記ピークが第２の感光素子に命中する。
【００１１】
換言すれば、強度分布の部分だけ、即ち、前記光源から発する光ビームの断面の部分だけが感光素子によって計測／検出されるので、反射された光の強度分布のピークが一度第１の感光素子に命中し、例えば、別の極値の調整状態において第２の感光素子に一度命中するように光学系を設計することによって、出力信号を強化することができる。
【００１２】
本発明の好ましい実施形態によれば、光学装置は、前記レンズの焦点距離の変化が、第１の感光素子及び／又は第２の感光素子に当たる前記放射された光の強度分布の幅を変化させるように構成される。代替的に又はさらに、本発明のさらに別の好ましい実施形態により、光学装置は、前記レンズの焦点距離の変化が、第１の感光素子及び／又は第２の感光素子に当たる前記放射された光の強度分布の極大（ピーク）の位置を、第１及び／又は第２の感光素子に対して変化／移動させるように構成される（さらに上記を参照されたい）。レンズの焦点距離を変化させる（例えば、レンズの曲率及び／又はその屈折率を変えることによって）と、光源の光がレンズによって異なるように屈折／変調されるので、感光素子に異なるように当たる。従って、前記出力信号は、実際的に、レンズの現在の焦点距離を原理的に決定することを可能にする。レンズの焦点距離を決定するためのさらに別の方法を用い、それぞれの焦点距離に対する前記第１及び第２の出力信号を計測することによって、焦点距離とそれぞれの第１及び／又は第２の出力信号との間の対応関係を確立する較正を容易に行うことができる。出力信号は、それらそれぞれの電流強度を用いて定量化することができる電流とすることができる。
【００１３】
数個の感光素子（例えば、２つのそのような素子）が存在する場合、光学装置は、個々の（例えば、第１及び第２の）出力信号Ｏ１、Ｏ２から、さらに別の信号Ｘ、例えば、Ｘ＝（Ｏ１―Ｏ２）／（Ｏ１＋Ｏ２）を生成するように適合されることが好ましく、焦点距離がＸに対して較正されることが好ましい。しかし、Ｏ１及びＯ２に対する較正を行うこともできる。１つのみの（即ち、第１の）感光素子が存在する場合、焦点距離はＯ１に対して較正される。焦点距離を制御するとき、Ｏ１（単一の第１の感光素子に関する）が、調節されるべき個々の焦点距離に対応する基準値に近づくようにされ、これに対して、２つの感光素子の場合には、さらに別の出力信号（例えば、電流）Ｘ（上記参照）が自動的に決定され、調節されるべき個々の焦点距離に対応する基準値に近づくようにされることが好ましい。
【００１４】
本発明の一実施形態によれば、焦点距離を制御するために、光学装置は、レンズの焦点距離を変化させるための手段又は機構（例えば、作動手段）を備えることができる。
【００１５】
さらに、本発明による光学装置の好ましい実施形態によれば、レンズの焦点距離の所定の焦点距離への調節を制御するために、光学装置は、前記（作動）手段を、該手段がレンズの焦点距離を変化させ（例えば、レンズの前記表面／膜を変形させ、又はレンズの屈折率をある程度変化させ）、その結果、第１及び／又は第２の出力信号、或は、第１及び第２の出力信号から生成されたさらに別の出力信号が基準出力信号に近づくように、制御するように適合された制御ユニットを備え、ここで前記基準出力信号は前記所定の焦点距離に対応する（較正）。
【００１６】
本発明による光学装置の好ましい実施形態によれば、光学装置は、複数の焦点距離、並びに各焦点距離に対する基準出力信号が格納されるメモリを備える。従って、メモリは基準出力信号（例えば、前記さらに別の出力信号或は第１及び／又は第２の出力信号に対する基準値）を検索するためのルック・アップ・テーブルを含む。例えば、焦点距離が、ユーザ又はアプリケーションによって要求される特定の焦点距離に（自動的に）調節される場合、前記要求される焦点距離に対応する基準出力信号が前記テーブルから取り出され、レンズの焦点距離（又は曲率）が前記（作動）手段によって、現在の出力信号（或は第１及び／又は第２の出力信号）がそれぞれの基準値に近づくように、調節される。これは、本発明の構成において光フィードバックと呼ばれる。
【００１７】
本発明の好ましい実施形態によれば、前記光学装置は、レーザ加工装置、例えば、レーザ・マーキング装置の焦点スポットを変えるのに使用できる焦点調整可能レンズ装置であり、ここで、加工用レーザは、走査ミラー及び加工されるべき試料に命中する前に、本発明による装置によって変調される。さらに、本発明による光学装置は、レーザ加工装置又はレーザ・マーキング装置とすることができる。
【００１８】
本発明の別の好ましい実施形態によれば、光学装置は顕微鏡の一部（例えば、顕微鏡の対物レンズ又は接眼レンズの一部）であり、又はそのような顕微鏡を形成する。
【００１９】
本発明の別の好ましい実施形態によれば、光学装置はカメラの一部（例えば、対物レンズの一部）であり、又はそのようなカメラを形成する。
【００２０】
本発明による光学装置の好ましい実施形態によれば、光学装置は、光源によって放射された前記光を、第１及び／又は第２の感光素子に当たる前に、反射するように構成された第１の光学素子をさらに備える。さらに、この第１の光学素子は、主光信号が、基本的に前記光フィードバックに影響せずに、第１の光学素子によって透過されるように構成されることが好ましい（以下も参照されたい）。
【００２１】
本発明による光学装置の好ましい実施形態によれば、光学素子はレンズの第１のカバー素子（例えば、ガラス又はプラスチック製、或は主信号の光路内に配置されないときは研磨された金属表面）であり、ここで、前記第１のカバー素子とレンズの前記表面を形成する弾性変形可能な膜とが、流体で満たされるレンズの体積（又は容器）を定める。ここで、レンズの前記膜は、透明（少なくとも主光信号に対して）且つ弾性的に拡張可能な、延長面に沿って延びる（基本的に２次元的に）（膜の延長面／表面に垂直な厚さは、前記延長面に沿った膜の寸法よりも著しく小さい）薄い素子である。膜は、以下の材料、即ち、ガラス、ポリマ、エラストマ、プラスチック又は任意の他の透明且つ伸縮性若しく可撓性材料のうちの少なくとも１つで作製することができる。例えば、膜は、ＰＤＭＳとしても知られているポリ（ジメチルシロキサン）などのシリコーン・ベースのポリマ、又はＰＥＴ即ち二軸配向ポリエチレンテレフタレート（例えば「マイラ（Ｍｙｌａｒ）」）などのポリエステル材料から作製することができる。さらに、前記流体は、液体金属、ゲル、液体、気体、又は変形可能な任意の透明な吸収性若しくは反射性材料であるか又はそれらを含む。例えば、流体はシリコーン油（例えば、ビス−フェニルプロピルジメチコン）とすることができる。さらに、流体はペルフルオロポリエーテル（ＰＦＰＥ：ｐｅｒｆｌｕｏｒｉｎａｔｅｄ  ｐｏｌｙｅｔｈｅｒ）不活性流体のようなフッ素化ポリマを含むことができる。
【００２２】
本発明による光学装置の一実施形態によれば、レンズの曲率（例えば、前記表面／膜の曲率）は流体内の圧力に比例する。前記圧力及びそれと共にレンズの曲率／焦点距離を調節するために、前記作動手段は、対応する圧力をレンズの体積（容器）に加えるように設計される。例えば、作動手段は、磁石と相互作用するコイルであって、レンズの前記体積に圧力を加えるのに使用されるコイルを備えた電磁アクチュエータ（例えば、ボイスコイル・モータ）とすることができる。従って、レンズの焦点距離は、アクチュエータのコイルを流れる電流によって制御される。作動手段はまた、ステッパ・モータ、或はピエゾ・モータ又は電気活性ポリマ・アクチュエータなどの静電アクチュエータによって形成することができる。作動手段はまた、レンズの表面又は膜の曲率を変えるために体積に磁気抵抗力を加える磁気抵抗アクチュエータとして設計することもできる。さらに作動手段は、１つ又は複数のアクチュエータで構成することができる。さらに、作動手段は、実際には手で作動される（例えば、作動手段によりレンズの表面の変形に変換される回転によって）ことも考えられる。
【００２３】
さらに、本発明による光学装置の好ましい実施形態によれば、光学装置は、光源によって放射された前記光を、第１及び／又は第２の感光素子に当たる前に、反射するように構成された第２の光学素子を備える（やはり、第２の光学素子は、前記主光信号が、具体的には基本的に光フィードバックに悪影響を及ぼさずに、第２の光学素子によって透過されるように構成されることが好ましい。以下も参照されたい）。
【００２４】
本発明による光学装置の好ましい実施形態によれば、前記第２の光学素子もまた、レンズの（第２の）カバー素子とすることができ、ここで、レンズの前記表面又は膜は、第１のカバー素子と第２のカバー素子との間に配置される。前記カバー素子は、互いに平行に配向されることが好ましい。第２の光学素子は第１の光学素子／カバー素子と同じ材料で作製することができる（上記も参照されたい）。
【００２５】
本発明による光学装置の好ましい代替的実施形態によれば、第２の光学素子は、第１の光学素子又は前記レンズに対して傾けられ、光源により放射された前記光を第１及び／又は第２の感光素子の方向に反射し、主光信号を透過させるように設計された部分反射ミラーである。ここで、さらにレンズの第２のカバー素子が存在することができるが、しかし、この第２のカバー素子は光源からの光を感光素子の方向に直接又は間接に反射するようには構成されない。
【００２６】
さらに、本発明の一実施形態によれば、光学装置はさらに別の光源を備え、ここで、さらに別の光源は、前記レンズによって影響され、第１の感光素子及び／又は第２の感光素子に当たる光を、前記光源から１つの感光素子に至る各光路が、さらに別の光源から１つの感光素子に至る対応する光路に対して実質的に対称的、具体的に対称的となるように、放射するように構成される。具体的には、これは、全ての感光素子及び光源の効率／感度の正規化を可能にする。例えば、１つの光源（例えば、ＬＥＤ）がオンにされ、２つの感光素子が存在する場合、２つの感光素子（例えば、フォトダイオード）の間の相対信号を用いて、レンズの偏向を測定することができる（ＬＥＤの絶対強度に無関係に）。１つのみの感光素子と、しかし２つの光源（例えば、ＬＥＤ）とが使用される場合も同様である。
【００２７】
さらに、本発明の一実施形態によれば、光学装置は、第１及び／又は第２の光源の光が、光学装置及び／又はレンズを出ること又はそれらに再度入ることを防ぐように構成された少なくとも１つの光学フィルタを備える。
【００２８】
さらに、本発明の一実施形態によれば、一貫性のある（例えば、線型又は単調）フィードバック信号を、光源（例えば、ＬＥＤ）を光学装置の機械的構成要素（例えば、レンズ又は筐体）に対して直接機械的に照合し、柔軟性ケーブル、ワイヤ・ボンディング接続又は成形相互接続装置を介して電流源などのエネルギー源に接続することにより、及び／又は組み立て中に光源／ＬＥＤを能動的に位置整合させることによって、得ることができる。
【００２９】
さらに、本発明の一実施形態によれば、光学装置、特にレンズは、前記放射された光に、光散乱及び／又は屈折及び／又は内部全反射によって影響を及ぼすように構成され、具体的には、光学装置、特にレンズは、前記光散乱を起こすための少なくとも１つの回折素子を備え、具体的には、前記少なくとも１つの回折素子は光学装置のレンズの膜の上に配置されるか又はその膜で構成される。
【００３０】
さらに、本発明の一実施形態によれば、光学装置は、第１及び／又は第２の感光素子（３０、４０）に熱的に接触する少なくとも１つの温度センサ（このために、センサは感光素子の近傍に配置することができる）を備え、具体的には、光学装置は、第１及び／又は第２の感光素子の温度依存感度を補償するために前記少なくとも１つの温度センサを使用するように構成される。
【００３１】
具体的には、一実施形態において、光学装置は、第１及び／又は第２の出力信号の温度依存性（例えば、熱的に誘起される屈折率の変化及び／又はレンズの１つ若しくは幾つかの材料の熱膨張に起因する）を、前記少なくとも１つの温度センサを用いてレンズの温度を計測し、第１及び／又は第２の出力信号の温度により決められたオフセットを仮定することによって、補償するように構成される。
【００３２】
さらに、具体的には、一実施形態において、光学装置は、第１及び／又は第２の出力信号の温度依存性（例えば、熱的に誘起される屈折率の変化及び／又はレンズの１つ若しくは幾つかの材料の熱膨張に起因する）を、１つより多くの基準温度においてレンズを特徴付け、前記特徴付けをメモリ内に格納し、レンズ内の前記少なくとも１つの温度センサを基準として用いることによって補償するように構成される。
【００３３】
さらに、具体的には、一実施形態において、光学装置は、レンズの焦点距離などのレンズの光学的特性の温度誘起変化を減らすためにレンズの温度を安定化するように構成された加熱手段をさらに備え、ここで、具体的には、温度は、レンズが特徴付けられた又は設計されたのと同じ温度において安定化される。
【００３４】
さらに、レンズの温度の検知に関して、本発明の一態様は、本発明による光学装置のレンズの温度を、レンズの温度をレンズが特徴付けられた又は設計されたのと同じ温度において安定化するためにレンズを定電力方式で駆動することによって、制御することに関する。
【００３５】
本発明による光学装置の好ましい実施形態によれば、レンズは、レンズの光軸に沿ってレンズを透過する主光信号を集束又は発散させるようにさらに設計され、ここで、光源、前記感光素子、及び特に前記第１及び／又は第２の光学素子は、前記主光信号が前記第１及び／又は第２の出力信号（又は前記さらに別の出力信号）に影響を及ぼさないように、即ち、前記光源からの前記光の光路内に結合しないように、レンズに対して配置される。
【００３６】
さらに、本発明による光学装置の好ましい実施形態によれば、光学装置は、光源がオフにされるときに、第１及び／又は第２の感光素子によって生成される背景ノイズを計測し、第１の感光素子によって計測された前記背景ノイズを第１の出力信号から差し引き、及び／又は第２の感光素子によって計測された前記背景ノイズを第２の出力信号から差し引くように設計される。
【００３７】
代替的に又はさらに、第１及び／又は第２の出力信号（又はさらに別の出力信号）中の（そのような）外部ノイズを減らすために、光学装置は、光源が変調された光を放射するように構成され（光学装置は光源から放射される光が変調されるように、光源と相互作用する変調器を備えることができる）、ここで変調周波数は、レンズの表面又は膜の形状／曲率の揺らぎ／調節の周波数よりも大きい。前記望ましくないノイズを除去するために、装置は出力信号（単数又は複数）を復調するように、及びバンドパス・フィルタ又はローパス・フィルタが最終的に前記ノイズを除去した信号（単数又は複数）を出力するように適合されることが好ましい。
【００３８】
さらに、本発明の一実施形態によれば、光学装置は、ユーザの眼の表面上に直接配置されるように構成されたコンタクトレンズ、又は眼の前に着用される光学装置（例えば、１つのめがね又は単一のめがねレンズ又は仮想ディスプレイ）又は眼内レンズである。
【００３９】
さらに、本発明の一実施形態によれば、前記光学装置は、少なくとも１つの光源、少なくとも１つの感光素子及び膜レンズ（変形可能膜及び流体を備えたレンズ）、液晶、エレクトロウェッティングに基づく又は別の焦点調節可能レンズを備える。
【００４０】
さらに、本発明の一実施形態によれば、光源、レンズ及び第１の感光素子は、放射された光が、第１の感光素子に当たる前に、ユーザの眼のレンズによって反射されるようにさらに構成され、その結果、第１の感光素子に当たる放射された光の強度分布が、前記ユーザが、対象物（例えば、彼の手）を接近して見ることにより又は見下ろすことによって行われ得る、彼の眼のレンズを変形させる（例えば、合焦するとき）か又はめがね若しくは眼の表面上のコンタクトレンズに対して眼の位置を変える（例えば、半径方向に）ときに、変化する。
【００４１】
さらに、本発明の下にある課題は、レンズの焦点距離を、具体的には、本発明による光学装置、具体的には、コンタクトレンズ、ユーザの眼の前に着用される光学装置（例えば、めがね）又はさらに眼内レンズを用いることによって、調節する方法によって解決される。
【００４２】
請求項２５によれば、本発明による方法は、光源（例えば、ＬＥＤ又はレーザ）を用いて光を放射するステップであって、前記光が前記レンズによって（例えば、前記レンズの表面／膜によって）影響され（例えば、屈折又は変調され）、前記光の一部（即ち、前記光の強度分布の一部分）だけが少なくとも第１の感光素子に当たり、その一部（又は一部分）はレンズの焦点距離（上記も参照されたい）に、又は光学装置（例えば、コンタクトレンズ又はめがね）を着用しているユーザの眼のレンズの形状に、又はユーザの眼の表面上のコンタクトレンズの位置に、又は光学装置／めがねに対する眼の位置に依存し、ここで、第１の感光素子は、前記光の前記一部が第１の感光素子に当たるとき、第１の感光素子に当たる光の前記一部の強度に対応する第１の出力信号を生成する、光を放射するステップと、第１の出力信号を制御信号（例えば、焦点距離を所望の焦点距離に調節するアクチュエータを始動するための）として用いて焦点距離を所望の又は所定の焦点距離に好ましくは自動的に調節するステップであって、前記第１の出力信号（又は第１の出力信号を用いて決定されるさらに別の出力信号）が、前記所定の焦点距離に関連付けられる基準出力信号に近づくようにする、調節するステップと、を含む。
【００４３】
少なくともさらに別の（第２の）感光素子が使用され、それにより以下のステップ、即ち、光源を用いて光を放射するステップであって、前記光がレンズによって（例えば、前記レンズの表面／膜によって）影響され（例えば、屈折又は変調され）、第１及び／又は第２の感光素子に当たるようにし、ここで、第１の感光素子が、光の一部（だけ）が第１の感光素子に当たるときに、第１の感光素子に当たる光の一部の強度に対応する第１の出力信号を生成し、第２の感光素子が、前記光の別の一部（だけ）が第２の感光素子に当たるときに、第２の感光素子に当たる光の一部の強度に対応する第２の出力信号を生成する、光を放射するステップと、
焦点距離を所定の焦点距離に調節する（例えば、レンズの変形可能表面／膜の曲率又はレンズの屈折率を調節することにより）ステップであって、前記第１及び／又は第２の出力信号、或は第１及び／又は第２の出力信号から生成されたさらに別の出力信号（例えば、上記のさらに別の出力信号Ｘを参照されたい）が、前記所定の焦点距離に対応する基準出力信号に近づくようにする、調節するステップと、
が実行されることが好ましい。
【００４４】
複数の基準出力信号（上記も参照されたい）が、複数の焦点距離の各焦点距離に対応する基準出力信号（上記も参照されたい）を割当てるルック・アップ・テーブルの中に、事前格納されることが好ましく、その基準出力信号は、それぞれの焦点距離がさらに別の方法を用いて決定され、それぞれの焦点距離と、それぞれの焦点距離が設定されるときに予測される第１及び／又は第２の出力信号或はさらに別の出力信号との間の対応関係をもたらす較正手続きによって、決定されることが好ましい。
【００４５】
さらに、本発明による方法の好ましい形態によれば、第１及び第２の感光素子によって生成される背景ノイズは、光源が光を放射しないときに計測され、ここで、第１の感光素子によって計測される前記背景ノイズが第１の出力信号から差し引かれ、及び／又は第２の感光素子によって計測される前記背景ノイズが第２の出力信号から差し引かれる。
【００４６】
さらに又は代替として、第１及び／又は第２の出力信号の中（又は前記さらに別の出力信号の中）の外部ノイズを減らすために、前記放射される光が変調された光として放射され、生成された第１及び／又は第２の出力信号（又はさらに別の出力信号）が次にそれに応じて復調され、バンドパス・フィルタ又はローパス・フィルタによってフィルタされて第１及び第２の出力信号の中の外部ノイズが除去されるようにすることができる（上記も参照されたい）。
【００４７】
請求項２６に記載の本発明のさらに別の態様によれば、視力矯正のためのコンタクトレンズが開示され、ここで、このコンタクトレンズは、ユーザ（例えば、コンタクトレンズを着けているユーザ）の眼の表面に直接に配置されるように構成され、このコンタクトレンズは、コンタクトレンズの焦点距離を調節するために制御されるように構成されたレンズを備え、このコンタクトレンズは、光を放射するための少なくとも１つの光源（好ましくはＩＲ光を放射するＬＥＤが好ましい）と、光源によって放射された光を検出するための、及び感光素子に当たる放射された光の強度分布に依存する出力信号をもたらすための少なくとも１つの感光素子（好ましくはフォトダイオード）と、をさらに備え、ここで、前記光源及び前記感光素子は、コンタクトレンズがユーザの眼の表面上に目的通りに配置されるとき、光源から放射された光が、前記感光素子に当たる前に、ユーザの眼のレンズ又はユーザの網膜によって反射されるように、構成される。
【００４８】
さらに、コンタクトレンズの好ましい実施形態によれば、光源及び感光素子は、感光素子に当たる放射された光の強度分布が、ユーザの前記眼のレンズの形状が変化するとき及び／又は眼の表面上のコンタクトレンズの位置が変化（例えば、半径方向の移動）するとき変化し、その結果前記出力信号も変化するように、さらに構成される。
【００４９】
さらに、本発明によるコンタクトレンズの好ましい実施形態によれば、コンタクトレンズは、コンタクトレンズの焦点距離を調節するための機構（例えば、変形又は屈折率変化）、及び前記機構を制御するための制御ユニットを備え、ここで、制御ユニットは前記出力信号を用いて（例えば、フィードバック信号として、又は前記焦点調節機構を作動及び／又は停止させるための制御信号として）前記機構を制御するように構成される。
【００５０】
コンタクトレンズのレンズは、透明で弾性伸張可能な膜を備えた（少なくとも部分的に）透明な容器であって、透明流体で充填され、その結果、前記膜及び前記流体を介して光がコンタクトレンズを透過できる容器で形成されることが好ましい。代替的に、コンタクトレンズのレンズは液晶レンズで形成される。
【００５１】
さらに、膜は、レンズ／コンタクトレンズの焦点距離を調節するために前記機構によって調節できる曲率を備えた曲率調節可能範囲を備えることが好ましい。
【００５２】
本発明のさらに別の態様によれば、視力矯正又は仮想若しくは拡張現実のための光学装置（例えば、めがね）が開示され、ここで、光学装置はユーザの眼の前、例えば、ユーザ（例えば、めがねの形態の光学装置を着用する人）の鼻の上に配置又は着用されるよう構成され、光学装置は、少なくとも１つのレンズ又は光学装置の焦点距離を調節するために制御されるように構成された少なくとも１つのレンズを備え、光学装置は、光を放射するための少なくとも１つの光源（好ましくはＩＲ光を放射するＬＥＤが好ましい）と、光源によって放射された光を検出するため及び感光素子に当たる放射された光の強度分布に応じた出力信号を生じるための少なくとも１つの感光素子（好ましくはフォトダイオード）と、をさらに備え、ここで、前記光源及び前記感光素子は、ユーザがめがねを着用するとき、光源によって放射された光が、前記感光素子に当たる前に、ユーザの眼のレンズ又はユーザの眼（この眼の前に前記レンズが配置される）の網膜によって反射されるように、構成される。
【００５３】
さらに、光学装置（例えば、めがね）の好ましい実施形態によれば、光源及び感光素子は、感光素子に当たる放射された光の強度分布が、ユーザの前記眼のレンズの形状が変化するとき及び／又は眼の位置が変化する（例えば、内側又は下側を見る）とき、変化し、その結果前記出力信号も変化するように、さらに構成される。
【００５４】
さらに、本発明によるめがねの好ましい実施形態によれば、めがねは、めがねの焦点距離を調節するための機構（例えば、変形又は屈折率変化）と、前記機構を制御するための制御ユニットとを備え、ここで、制御ユニットは、前記出力信号を（例えば、フィードバック信号として、又は前記焦点調節機構を作動及び／又は停止するための制御信号として）用いて前記機構を制御するように構成される。
【００５５】
さらに、一実施形態において、光学装置は片側の眼だけの視力矯正をもたらすことができ、従って、前記１つのレンズのみを備えることができる。別の実施形態において、前記光学装置は両眼の視力矯正をもたらし、一方の眼のためのレンズ及び他方の眼のためのさらに別のレンズを備えることができる。それゆえに、各レンズが関連付けられる眼の前に配置される。
【００５６】
さらに別のレンズもまた焦点調節可能とすることができ、上記のように構成することができる。さらに別のレンズの焦点距離もまた上記の手段によって（例えば、前記レンズの焦点距離と同時に）調節することができる。各々のレンズの焦点距離を独立に調節することができる（例えば、各レンズが上記の焦点距離を調節するための手段を備える）ことも考えられる。
【００５７】
光学装置のレンズは、透明で弾性伸張可能な膜を備え、透明流体で充填された（少なくとも部分的に）透明な容器で形成され、その結果、光が前記膜及び前記流体を介してめがねを透過できることが好ましい。代替的に、めがねのレンズは液晶レンズによって形成される。
【００５８】
さらに、膜は、レンズ／めがねの焦点距離を調節するために前記機構によって調節することができる曲率を備えた、曲率調節可能範囲を備えることが好ましい。
【００５９】
本発明の全ての実施形態において行うことができる光源（単数又は複数）を変調することによって、システムの電力消費を著しく減らすことができる。
【００６０】
本発明のさらに詳細な説明及び他の態様が以下に与えられる。本発明は、以下のその詳細な説明を考慮すると、より良く理解され、上で説明した以外の目的が明確になるであろう。そのような説明は添付の図面について言及する。
【図面の簡単な説明】
【００６１】
【図１】本発明による光学装置及び方法の実施形態を概略的に示す。
【図２】光源によって、感光素子の方向に放射された光信号（強度分布）並びに感光素子によって生成された対応する出力信号を概略的に示す。
【図３】本発明による光学装置のさらに別の実施形態の概略的な断面図を示す。
【図４】本発明による光学装置のさらに別の実施形態の概略的な断面図を示す。
【図５】レンズによって影響され（例えば、反射され）、感光素子に当たる計測されたフィードバック信号（即ち、光源からの光）を示す。
【図６】図３及び図４に示す実施形態の修正物を示す。
【図７】図６に示す実施形態に関する第１及び第２の光学素子並びに感光素子のカバー素子の反射率及び透過率を示す。
【図８】図６に示す実施形態に関する第１及び第２の光学素子並びに感光素子のカバー素子の反射率及び透過率を示す。
【図９】図６に示す実施形態に関する第１及び第２の光学素子並びに感光素子のカバー素子の反射率及び透過率を示す。
【図１０】本発明による光学装置の、光源によって放射された光の第１及び第２の光学素子（ここではカバー素子／めがね）の上での反射を含む、さらに別の実施形態の斜視断面図を示す。
【図１１】本発明による光学装置の、光源によって放射された光の第１の光学素子（ここではカバー素子／めがね）の上での単一反射のみを含む、さらに別の実施形態の斜視断面図を示す。
【図１２】本発明による光学装置の、光源によって放射された光の第１及び第２の光学素子（ここではカバー素子／めがね）の上での無反射を含む、さらに別の実施形態の斜視断面図を示す。
【図１３】本発明による光学装置の、光源によって放射された光の第１及び第２の光学素子（ここではカバー素子／めがね）の上での無反射を含む、さらに別の実施形態の斜視断面図を示す。
【図１４】光源から放射される光を変調することによって出力信号からノイズを除去するためのブロック図を示す。
【図１５】本発明による装置の、レーザ光加工システムの光路中の位置を概略的に示す。
【図１６】本発明による光学装置の、光源及び感光素子がレンズの筐体の外部に配置される、さらに別の実施形態の概略図を示す。
【図１７】２つの光源及び２つの感光素子を用いる光学装置の概略的構成を示す。
【図１８】本発明による光学装置のさらに別の実施形態の別の斜視断面図を示す。
【図１９】本発明による、コンタクトレンズの形態の光学装置を示す。コンタクトレンズ内に配置された光源によって放射された光が、その上に前記コンタクトレンズが配置されたユーザの眼のレンズによって反射され、次いで感光素子に当り、この感光素子が、例えば、コンタクトレンズの焦点距離を制御するための出力信号をもたらす。
【図２０】本発明による、コンタクトレンズの形態の光学装置を示す。コンタクトレンズ内に配置された光源によって放射された光が、その上に前記コンタクトレンズが配置されたユーザの眼のレンズによって反射され、次いで感光素子に当り、この感光素子が、例えば、コンタクトレンズの焦点距離を制御するための出力信号をもたらす。
【図２１】本発明による、コンタクトレンズの形態の光学装置を示す。コンタクトレンズ内に配置された光源によって放射された光が、その上に前記コンタクトレンズが配置されたユーザの眼のレンズによって反射され、次いで感光素子に当り、この感光素子が、例えば、コンタクトレンズの焦点距離を制御するための出力信号をもたらす。
【図２２】本発明による、コンタクトレンズの形態の光学装置を示す。コンタクトレンズ内に配置された光源によって放射された光が、その上に前記コンタクトレンズが配置されたユーザの眼のレンズによって反射され、次いで感光素子に当り、この感光素子が、例えば、コンタクトレンズの焦点距離を制御するための出力信号をもたらす。
【図２３】本発明による、コンタクトレンズの形態の光学装置を示す。コンタクトレンズ内に配置された光源によって放射された光が、その上に前記コンタクトレンズが配置されたユーザの眼の網膜によって反射され、次いで感光素子に当り、この感光素子が、例えば、コンタクトレンズの焦点距離を制御するための出力信号をもたらす。
【図２４】本発明による、コンタクトレンズの形態の光学装置を示す。コンタクトレンズ内に配置された光源によって放射された光が、その上に前記コンタクトレンズが配置されたユーザの眼の網膜によって反射され、次いで感光素子に当り、この感光素子が、例えば、コンタクトレンズの焦点距離を制御するための出力信号をもたらす。
【図２５】本発明による、コンタクトレンズの形態の光学装置を示す。コンタクトレンズ内に配置された光源によって放射された光が、その上に前記コンタクトレンズが配置されたユーザの眼の網膜によって反射され、次いで感光素子に当り、この感光素子が、例えば、コンタクトレンズの焦点距離を制御するための出力信号をもたらす。
【図２６】本発明による、ユーザの眼の前に着用されるように設計された光学装置（例えば、めがね）を示す。光学装置の中に配置された光源によって放射された光が、ユーザの眼のレンズ又はユーザの眼の網膜によって反射され、次いで感光素子に当たり、この感光素子が、例えば、光学装置の焦点距離を制御するための出力信号をもたらす。
【図２７】本発明による、ユーザの眼の前に着用されるように設計された光学装置（例えば、めがね）を示す。光学装置の中に配置された光源によって放射された光が、ユーザの眼のレンズ又はユーザの眼の網膜によって反射され、次いで感光素子に当たり、この感光素子が、例えば、光学装置の焦点距離を制御するための出力信号をもたらす。
【図２８】本発明による、ユーザの眼の前に着用されるように設計された光学装置（例えば、めがね）を示す。光学装置の中に配置された光源によって放射された光が、ユーザの眼のレンズ又はユーザの眼の網膜によって反射され、次いで感光素子に当たり、この感光素子が、例えば、光学装置の焦点距離を制御するための出力信号をもたらす。
【発明を実施するための形態】
【００６２】
図１及び図２は、本発明による光学装置１の略図を示す。具体的には、光学装置１は主光信号（例えば、レーザ光ビームなどの光ビーム）１００を集束又は発散させるように設計される。このために、光学装置１は、変形可能な表面１０ａであって、図１の左側に示すように、各々がレンズ１０の異なる焦点距離に対応する複数の異なる曲率をとることができる表面１０ａを有する焦点調整可能なレンズ１０を備える。
【００６３】
前記表面１０ａは、主光信号１００に対して透明な、レンズ１０の弾性変形可能な膜１１によって形成することができる。膜１１は、光学装置１／レンズ１０の筐体２の中に配置され、（透明な）カバー素子８０の形態の第１の光学素子８０と（光軸Ａの方向で）向き合い、ここで膜１１（上記のように設計することができる）及び前記カバー素子８０は、レンズ１０の、流体Ｆで満たされる体積Ｖを定める（これは上記のように設計することができる）。
【００６４】
例えば、作動手段２０によって、前記体積に圧力が加えられる場合、基本的に一定体積Ｖの流体Ｆのために流体Ｆの圧力が増加して膜１１を膨張させ、膜１１／表面１０ａの前記曲率を増加させる。同様に、前記体積Ｖに加わる圧力が減少すると、流体Ｆの圧力が減少し、図１の右側に示すように、膜１１／表面１０ａを収縮させ、第１の膜の前記曲率を減少させる。ここで、曲率の増加は、膜１１／表面１０ａがより顕著な凸型膨らみを発現すること、又は膜１１／表面１０ａが凹型若しくは平面状態から凸型に変化することを意味する。同様に、曲率の減少は、膜１１／表面１０ａが顕著な凸状態からあまり顕著でない凸状態又はさらに平面若しくは凹状態に変化すること、或は平面若しくは凹状態からさらにより顕著な凹状態へ変化することを意味する。
【００６５】
従って、レンズ１０の膜１１／表面１０ａの曲率は作動手段２０によって調節することができ、それによりレンズ１０の焦点距離ｆを調節することができる。
【００６６】
図１に示すように、光学装置１は、同じくカバー素子９０として形成された、第１の光学素子と平行に延びる第２の（透明な）光学素子９０を備え、その結果膜１１／表面１０ａがこれら２つの光学素子８０、９０の間に配置される。
【００６７】
さらに、レンズ１０の前記焦点距離ｆを計測及び／又は制御するために、光学装置１は光源５０（例えば、ＬＥＤなど）をさらに備え、ここで、前記光源５０は、例えば、レンズ１０の筐体２の横周壁の内側に配置されて光５１を放射し、前記光５１が第２の光学素子によってレンズ１０の表面１０ａの方向に反射され、次いでレンズ１０によって第１の光学素子８０の方向に屈折され、次いでレンズ１０の表面１０ａの方向に後方反射され、レンズ１０によって屈折され、最後に第２の光学素子９０によって（表面１０ａの実際の曲率に応じて）、例えば、やはり前記周壁の内側（例えば、光源５０に向き合う）に互いに隣接／接近して配置されたフォトダイオード３０、４０の形態の第１及び／又は第２の感光素子３０、４０の上に反射されるように、構成される。
【００６８】
第１のフォトダイオード３０は、第１のフォトダイオード３０に当たる光５１の強度に対応する第１の出力信号Ｏ１（例えば、電流の形態で）を生成するように設計され、第２のフォトダイオード４０は、第２のフォトダイオード４０に当たる光５１の強度に対応する第２の出力信号Ｏ２を生成するように設計される。
【００６９】
図２及び図５に示すように、感光素子３０、４０のそのような構成は、レンズ１０の焦点距離ｆを決定することを可能にし、その理由は、表面１０ａ又は膜１１の各々の曲率が特定の第１及び第２の出力信号Ｏ１、Ｏ２を生成するので曲率／焦点距離ｆを区別することができるからである。換言すれば（図５参照）光５１（フィードバック信号）が２つのフォトダイオード３０、４０に、レンズ１０の表面１０ａ又は膜１１の曲率に応じて異なる仕方で当たる。
【００７０】
しかし、本発明はまた単一の感光素子（例えば、フォトダイオードなど）３０によっても機能する。例えば、光源５０の（ＬＥＤ）信号のあらゆる可能な変化を説明するために、２つのそのような素子（例えば、フォトダイオード）３０、４０が使用されることが好ましい。換言すれば、あらゆる経年劣化効果を防ぐために。２つの感光素子が存在するとき、第１及び第２の出力信号Ｏ１、Ｏ２から、Ｘ＝（Ｏ１−Ｏ２）／（Ｏ１＋Ｏ２）となるさらに別の出力信号Ｘが生成されることが好ましい。
【００７１】
光学装置１の構成により、レンズ１０の異なる焦点距離ｆに関して図２に示す光源５０の光５１の強度分布は、焦点距離が変化するときその幅を変化させるだけでなく、分布５１のピークＰの位置も焦点距離が変化するとき移動する。感光素子３０、４０は、本発明の全ての実施形態において、それらが光源５０からの光５１の強度分布の一部のみを検出するように一般に構成されているので、検出された光５１の強度は、レンズ１０の焦点距離を変化させることによって著しく変化する。分布の幅のみを変化させることが、レンズ１０の異なる焦点距離を識別することを可能にするが、光学装置１を、それぞれの素子３０、４０に当たる（反射された）光５１のピークＰが移動するようにさらに構成することができるという特徴は、さらに信号差を大きくする。本発明のこれらの特徴はさらに図５に示され、この図は、レンズ１０によって集束又は発散されるが、光源５０からの光５１（フィードバック信号）とは明らかに干渉しない主光信号１００を示す。図５の左側のパネルにおいては、図５の右側のパネルに比べて、レンズ１０の異なる焦点距離が調節されている。それに対応して、感光素子（例えば、フォトダイオード）３０、４０には、これらの２つのパネルにおいて、信号５１が異なる仕方で命中する。
【００７２】
さらに、図５からに推測できるように、前記光源５０、前記感光素子３０、４０、並びに特に前記第１及び／又は第２の光学素子８０、９０は互いに、主光信号（主レーザ）１００がフォトダイオード３０、４０に当たらないように、即ち、前記第１及び第２の出力信号Ｏ１、Ｏ２に影響を及ぼさないように、配置される。
【００７３】
次に、レンズ１０の焦点距離ｆを制御して、レンズ１０を所定の焦点距離に自動的に調節することができるようにするために、光学装置１は、図１に示すように制御ユニット６０を備え、この制御ユニット６０は、前記作動手段２０がレンズ１０の前記表面１０ａを第１及び／又は第２の出力信号Ｏ１、Ｏ２が基準出力信号に近づくように変形させるように、前記作動手段２０を制御するように適合され、ここで、レンズ１０の前記表面１０ａは、前記さらに別の出力信号Ｘが基準出力信号に近づくように変形されることが好ましい。これらの基準出力信号は較正されており、即ち、調節されるべきそれぞれの所定の焦点距離ｆに対応する。
【００７４】
光学装置１は、複数の焦点距離並びに複数の対応する基準出力信号がその中に格納されるメモリ７０を備えることが好ましく、ここで、基準出力信号は各焦点距離に割当てられる。
【００７５】
一方の側の第１及び／又は第２の出力信号Ｏ１、Ｏ２或は前記さらに別の出力信号Ｘと、他方の側の焦点距離との間の対応関係は、レンズ１０の焦点距離を決定するための別の方法（例えば、シャック・ハルトマン（Ｓｈａｃｋ−Ｈａｒｔｍａｎ）センサ）を用いて確立することができる。次いで個々の焦点距離を調節することができ、対応する第１及び第２の出力信号Ｏ１、Ｏ２或はさらに別の出力信号Ｘが計測され、後に、例えば、メモリ７０内の前記ルック・アップ・テーブル内に格納される。
【００７６】
図３及び図４は、本発明による光学装置１のさらに別の実施形態を示し、ここで、レンズ１０は図１に示すように構成され、第１のカバー素子８０の形態の第１の光学素子８０と、第２のカバー素子８１（図１のカバー素子９０に対応する）と、レンズ１０及び透明カバー素子８０、８１に対して傾いた光学窓（光５１に対する）であり、レンズ１０を通る光軸に沿って延びる主光信号１００に対して部分的に透過性である第２の光学素子９０とを有し、ここで、第２の光学素子９０によって反射された主光信号１００の光は、前記反射された光を吸収するためのレーザ・ダンプ１２０の中に集められる。第１のカバーガラス８０及び第２の光学素子９０は主光信号１００に対して透明であり、信号光５１に対して反射性である。カバーガラス８１は両方の光信号に対して透明であり、省略することもできる。図３および図４の両方は、膜１１の２つの異なる状態を示すことに留意されたい。
【００７７】
次に、図１に示す実施形態とは対照的に、光源（例えばＬＥＤ）５０は、光源５０によって生成された光５１が第２の光学素子９０によってレンズ１０の方向へ反射され、第２のカバー素子８１及びレンズ１０に入り、第１のカバー素子８０の上で、第２の光学素子９０の方向へ反射され、次いで、焦点距離ｆ又は膜１１／表面１０ａの曲率に応じて第１及び／又は第２の感光素子（例えば、フォトダイオード）３０、４０の上に反射される（例えば、図４の破線）、ように配置される。
【００７８】
ここで、２つの感光素子３０、４０はプリント回路基板に組み込まれ、この基板はさらに、図１に示す制御ユニット６０及び特にメモリ７０へのインタフェースを備える。
【００７９】
図６（やはり膜１１の２つの異なる状態を示す）は図４に示す実施形態の修正物を示し、ここでは図４とは対照的に、光源５０もプリント回路基板に組み込まれ、それゆえに前記感光素子３０、４０に隣接して配置される。両方の実施形態（図３、図４と図６）において、プリント回路基板は、光軸Ａに平行に延びるレンズ１０の筐体２の横内側の上に配置される。さらに、プリント回路基板はさらにレンズ１０及び光源５０のための接続部を有する。
【００８０】
図６と関連して、図７は、光源５０の当たる光５１に対する第１の光学素子８０（第１のカバー素子）の好ましい反射率を示す。それによると、反射率は、光源５０の光５１に関して用いられることが好ましい７５０ｎｍから９００ｎｍまでの範囲の波長を有する光５１に対して基本的に１００％であることが好ましい。さらに、図９に示すように、７５０ｎｍから９５０ｎｍまでの範囲の光に対する第２の光学素子９０の好ましい反射率は、光５１の良好な反射を確保できるように、やはり非常に高い（ほぼ１００％）。さらに、図６に示す実施形態のフォトダイオード３０、４０を覆うカバー素子８３は、光５１が確実に前記感光素子３０、４０に実際に達するように、図８に示すような非常に良好な透過率を有することが好ましい。さらに、これは、主光信号の典型的な波長、具体的には５３２ｎｍと１０６４ｎｍに対して１００％に近い反射率を有する。
【００８１】
図１０は、本発明による光学装置１のさらに別の実施形態であって、基本的に図１に示すように構成され、即ち、透明カバー素子８０、９０の形態の第１及び第２の光学素子８０、９０を有するレンズ１０を備え、表面１０ａを定める変形可能膜１１が前記２つのカバー素子８０、９０の間に配置される、実施形態を示す。レンズ１０／光学装置１の筐体２は、膜１１を囲む周壁２０１を備え、ここで、第１の環状部材２０２が前記壁２０１に結合され、この第１の環状部材２０２が（円形の）第１の光学素子８０を保持し、第２の光学素子９０を保持する第２の環状部材２０４も同様に前記壁２０１に結合される。さらに、前記第１の環状部材２０２は円周縁部領域２０３を備え、これに前記膜１１が固定される。同様に、第２の管状部材２０４は円周縁部領域２０５を備える。光学的に機能しない外膜部分１２を押す（例えば、作動手段２０によって）ことにより、流体Ｆが外側領域から中央の流体体積区域に押され、レンズ１０がより凸形になる（又は圧力を減らすと凸形の程度が小さくなる）。これは、レンズ１０の焦点距離ｆを調節することを可能にする。
【００８２】
図１０に示すように、感光素子３０、４０並びに光源５０は、膜１１／表面１０ａの同じ側、即ち第２の環状部材２０４の上に配置され、その結果光５１は、図１に関して説明したように、反射され、ここで、具体的には２つの感光素子３０、４０は、第２の管状部材２０４の円周方向に、互いに隣接して配置され、それらは、第２の管状部材２０４の（ｏｒ）向かい側に配置された光源５０と向き合う。
【００８３】
さらに、光学装置１は、第１の光源５０の（特にまた、存在するときはさらに別の光源５２の）光が光学装置１及び／又はレンズ１０を出るか又は再度入るのを防止するように構成された少なくとも１つの光学フィルタ５４を備えることができる。具体的には、第２の光学素子９０にそのようなフィルタ５４を備えることができる。そのようなフィルタはまた、本明細書で説明する他の実施形態において使用することもできる。図１１は、図１０に示す実施形態の修正物を示し、ここで、感光素子３０、４０及び光源５０は、光５１が感光素子３０、４０に向かって進むとき、第１の光学素子８０によって単に反射される（及びレンズ１０によって屈折される）ように配置される。具体的には、感光素子３０、４０はここでは、第１及び第２の光学素子８０、９０に垂直に走る光軸の方向において互いに隣接して配置される。さらに、この実施形態において、光源５０及び感光素子３０、４０は、調整可能レンズ１０の流体Ｆを有しない側にあり、組み立てプロセスをより簡単にする。さらに、光５１は膜１１／表面１０ａを２回横切り、より強い光学効果及びそれゆえにより強いフィードバック信号を生じる。
【００８４】
図１２及び図１３は、図１０に示す実施形態の修正物を示し、ここで、感光素子３０、４０及び光源５０は、光５１が感光素子３０、４０に向かって進むとき、レンズ１０によって単に屈折されるように、配置される。このため、図１１とは対照的に、光源５０は、ここでは、図１１に関して説明したように配置される感光素子３０、４０に対して、膜１１の反対側に配置される。
【００８５】
さらに、図１２及び図１３において、レンズ１０は、前記放射された光５１に、光散乱及び／又は屈折によって影響を及ぼすように構成され、ここで具体的には、光学装置１、具体的にはレンズ１０は、前記光散乱を起こすための少なくとも１つの回折素子を備えることができ、ここで具体的には、前記少なくとも１つの回折素子５５は膜１１の上に配置されるか又は膜１１で構成される。そのような素子５５は、他の実施形態においても使用することができる。
【００８６】
図１６は、本発明による光学装置１の、光源５０並びに第１及び第２の感光素子（例えば、フォトダイオード）３０、４０が、図１に示す原理で構成されたレンズ１０の筐体２の外部に配置された、さらに別の実施形態の略図を示す。ここで、光源５０及びフォトダイオード３０、４０は、第１の光学素子８０（例えば、カバーガラス）の一方の側に配置され、その側に感光素子３０、４０もまた配置され、即ち、カバーガラス８０に平行に走る平面内で互いに隣接して配置され、ここで、第１の感光素子３０は、第２の感光素子４０が第１の感光素子３０と光軸の間に配置されるように、第２の感光素子４０の上方に配置される。レンズ１０の膜１１は、第１及び第２のカバーガラス８０、９０の間に配置され（流体Ｆが第１のカバーガラス８０と膜１１の間に配置される）、ここで、第２の光学素子（第２のカバーガラス）９０は光５１に対して反射性である。光源５０からの光５１を、最終的に感光素子３０、４０の上に後方反射するためにミラー８８が存在し、このミラー８８は、素子３０、４０及び光源５０もまた配置されるカバーガラス８０の前記側のカバーガラスの面に平行に延びる。
【００８７】
図１６において、上記の構成が、レンズ１０の３つの異なる焦点距離に関して示される。下の並びのそれぞれのパネルは、素子３０、４０に当たる光５１の対応する強度分布を示す。
【００８８】
さらに、図１４に示すように、外部ノイズの低減（全ての実施形態において行うことができる）のために、光源５０によって生成された光５１が変調器３００によって変調され、その結果、光５１の強度ＳＩは、例えば、
ＳＩ＝ＶＩ・ｓｉｎ（ω・ｔ）
の形をとり、ここでωは変調周波数である。適合光学素子、即ちレンズ１０が、曲率を調節するとき、前記強度を以下のように修正する：
Ｓｏ＝ｆ（ｘ）・ＶＩ・ｓｉｎ（ω・ｔ）
ここで、外部ノイズｆ（ｙ）がこの信号に加えられて以下のようになる。
Ｓｄ＝ｆ（ｘ）・ＶＩ・ｓｉｎ（ω・ｔ）＋ｆ（ｙ）
この強度が感光素子３０、４０によって検出される。
【００８９】
ノイズｆ（ｙ）を除去するために、復調器３０１は、この信号を、関数ｓｉｎ（ω・ｔ）を検出された強度Ｓｄに掛けて
Ｓｄｅ＝ｆ（ｘ）・ＶＩ・ｓｉｎ（ω・ｔ）・ｓｉｎ（ω・ｔ）＋ｆ（ｙ）・ｓｉｎ（ω・ｔ）
を得ることによって、復調するように構成され、この式は、
Ｓｄｅ＝（１／２）・ｆ（ｘ）・ＶＩ−ｆ（ｘ）・ＶＩ・（１／２）・ｃｏｓ（２・ω・ｔ）＋ｆ（ｙ）・ｓｉｎ（ω・ｔ）
に対応する。
【００９０】
次に、周波数２・ω及びωによって変化する部分を、対応するバンドパス・フィルタ又はローパス・フィルタ１１０によって除去することができる。その結果、滑らかな出力信号
ＳＳ＝（１／２）・ｆ（ｘ）・ＶＩ
が残る。
【００９１】
最終的に図１５が、本発明による光学装置１のレーザ光加工システムにおける可能な用途を示す。これに関して、図１５は、装置１のレーザ４００によって生成されたレーザ光ビーム１００を、対象物４０４の３次元表面の上に集束させるように設計されたレーザ・マーキング機器１の形態の光学システム１を示す。このために、生成されたレーザ光ビーム１００は、レーザ光ビーム１００の直径を広げる（例えば、直径５ｍｍまで）ための随意のビーム・エクスパンダ４０１を通して送られる。ここで、レーザ光ビーム１００を収束／集束させるために、本明細書で説明する本発明による、調節可能な焦点ｆ（例えば、＋４００ｍｍから−６００ｍｍまでの範囲において）を有するレンズ１０を、光路中、ビーム・エクスパンダ４０１の前、ビーム・エクスパンダ４０１の中、又はビーム・エクスパンダ４０１の後（前記対象物４０４の表面上にレーザ光ビーム１００を屈折するためのミラー手段４０２の前）に配置することができる。レンズ１０によってレーザ光ビーム１００を集束／収束させた後、レーザ光ビーム１００はミラー手段４０２によってＦシータ・レンズ４０３の方向に屈折され、次いで前記対象物４０４の表面に集束される。ミラー手段４０２及び焦点調節可能なレンズ１０のために、レーザ光ビーム１００は、図１５に示すように、３次元ｘ、ｙ，ｚにおいて集束させることができる。ミラー手段４０２（例えば、ｘ−ｙガルボスキャナ（Ｇａｌｖｏ−ｓｃａｎｎｅｒｓ）の上に取付けられたミラー）は、２つの独立した軸の周りに枢動する（２次元において）ことができる単一ミラーとすることができ、又は互いに直交する２つの軸のそれぞれの軸の周りで枢動可能な２つのミラーで構成することができる。そのような光学システム１において、Ｆシータ・レンズを省略することもでき、又は、例えば小さいスポット・サイズを得るためにレーザ光ビーム１００の光路内に付加的なレンズを加えることができる。
【００９２】
さらに、図１７は、２つの光源５０、５２（例えば、ＬＥＤ）及び２つの感光素子（３０、４０）を用いた構成を示す。この構成は、本明細書で説明する全ての実施形態と共に用いることができる。ここで、具体的には、光源５０から感光素子３０、４０のうちの１つまでの各光路Ｔ１１、Ｔ１２は、さらに別の光源５２から感光素子３０、４０のうちの１つまでの対応する光路Ｔ２１、Ｔ２２に対して対称的である。有利なことに、これは全ての感光素子３０、４０及び光源の効率／感度の正規化を可能にする。
【００９３】
さらに、図１８は、本発明による、透明なカバー素子８０、９０の形態の第１及び第２の光学素子８０、９０を有するレンズ１０を備え、表面１０ａを定める変形可能膜１１が前記２つのカバー素子８０、９０の間に配置された、光学装置１のさらに別の実施形態を示す。さらに、光学装置１は、膜１１を囲む周壁２０１を有する筐体２を備え、ここで、第１の環状部材２０２が前記壁２０１に結合され、この第１の環状部材２０２が（円形の）第１の光学素子８０を保持し、第２の光学素子９０を保持する第２の環状部材２０４も同様に前記壁２０１に結合される。さらに、前記第１の環状部材２０２は、前記膜１１がそれに固定される円周縁部領域２０３を備える。
【００９４】
さらに、図１７及び１８に示すように、光学装置１は、第１及び／又は第２の感光素子３０、４０に熱的に接触する少なくとも１つの温度センサ５６（又は、各感光素子（例えば、フォトダイオード）３０、４０に対する数個のそのようなセンサ５６）を備えることができ、ここで、具体的には光学装置１は、第１及び／又は第２の感光素子３０、４０の温度依存感度を補償するために、前記少なくとも１つの温度センサ５６を用いるように構成される。これらの種類の温度センサ５６及び補償手段は、他の実施形態においても存在することができる。
【００９５】
光学的に機能しない外側膜部分１２の上を押す（例えば、作動手段２０によって）ことにより、流体Ｆが外側領域から中央の流体体積区域内に押され、レンズ１０（即ち、膜１１の内側部分）がより凸形（圧力が減少するときはより程度の小さい凸形）になる。これは、レンズ１０の焦点距離を調節することを可能にする。
【００９６】
図１８に示すように、感光素子３０、４０はレンズ１０の外側に配置され、他方光源５０は、放射された光５１が素子３０、４０に当たる前に第２のカバー素子９０の上で反射されるように、膜１１を通して感光素子３０、４０を照射する。
【００９７】
さらに、図１９〜図２２は、本発明による態様及び実施形態の断面図を示す。ここで、光学装置は、ユーザの眼３００（３０１）の表面３００ａ、即ち、眼３００の瞳孔の上に直接配置されるように構成されたコンタクトレンズ１を形成する。コンタクトレンズ１は、コンタクトレンズの焦点距離を調節するために修正されるように構成された少なくとも１つのレンズ１０を備える。
【００９８】
さらに、コンタクトレンズ１は、光５１（具体的には、眼に支障のないＩＲ光）を放射するための光源５０と、光源５０から放射された光５１を検出するため及び感光素子３０に当たる放射された光５１の強度に応じた出力信号をもたらすためのフォトダイオードとすることができる感光素子３０とを備える。
【００９９】
本発明によれば、前記光源５０及び前記感光素子３０は、ユーザがコンタクトレンズを適切に着用するとき、光源５０によって放射された光５１が、前記感光素子３０に当たる前にユーザの眼３００のレンズ３０１によって反射されるように、コンタクトレンズ１の上に配置される。
【０１００】
光源５０及び感光素子３０は、ユーザの前記眼３００のレンズ３０１の形状が変化するとき及び／又は眼３００の表面３００ａ上のコンタクトレンズ１の位置が変化する（即ち、コンタクトレンズが半径方向に中心を外れるようなコンタクトレンズ１の半径方向の移動による）とき、感光素子３０に当たる放射された光５１の強度分布が変化し、その結果、前記出力信号も変化するように、さらに構成されることが好ましい。
【０１０１】
光源５０及び素子３０のそのような配置は、例えば、図１９〜図２２に示す放射された光をシミュレートすることによって見出すことができる。
【０１０２】
さらに、コンタクトレンズ１は、レンズ１０の焦点距離を調節するための機構３０３、及び前記機構３０３を制御するための制御ユニット３０４を備えることが好ましく、ここで、制御ユニットは、前記出力信号を用いて前記機構３０３を制御するように構成される。
【０１０３】
図１９は、詳細に、眼３００の０Ｄ（ジオプタ）への調節の状況を示し、ここで、感光素子の出力信号は光源強度（即ち、光源５０によって放射される光５１の強度）の０．６８％の光強度に対応する。
【０１０４】
さらに、図２０においては、眼３００の調節は２Ｄであり、ここで感光素子の出力信号は光源強度の０．６３％の光強度に対応する。
【０１０５】
最後に、図２１は、今度は、コンタクトレンズが眼３００の表面３００ａ上で半径方向に、すぐ近くの対象物に合焦することによってユーザが達成し得る０．５ｍｍの量だけ、移動した際の、眼３００の０Ｄの調節に対応する。コンタクトレンズは、例えば、ユーザが見下ろすか又は鼻の方を見るときに、レンズが移動するように設計することができる。ここで、出力信号は、光源強度の０．３９％の光強度に対応する。
【０１０６】
従って、感光素子３０からの出力信号は、コンタクトレンズ１、具体的にはコンタクトレンズ１の焦点距離を制御するのに有利に用いることができる。
【０１０７】
比較として、図２２は光源５０から延びる全ての光線を示す。
【０１０８】
図２３〜図２５はさらに、ユーザ（例えば、コンタクトレンズ１を着用している個人）の眼３００の表面３００ａの上に配置されるコンタクトレンズの形態の光学装置１を示し、ここで今度は、光源５０及び感光素子３０は、光源５０によって放射された光５１が、コンタクトレンズ１が配置された眼３００のレンズ３０１を透過し、具体的には前記レンズ３０１によって屈折され、次いで前記眼の網膜３００ｂ上で反射され、レンズ３０１（そこで光５１が具体的には再び屈折される）を介して感光素子３０に戻る、ように構成される。
【０１０９】
ここで、図２３は、網膜３００ｂ上で反射された放射された光５１が感光素子３０に命中する状況を示し、他方図２４においては、コンタクトレンズ１のユーザによってレンズ３０１が変形される（例えば、それを合焦することにより）ために、より少ない放射された光５１が感光素子３０に当たる。さらに、感光素子上のより少ない光５１はまた、眼３００の表面３００ａ上のコンタクトレンズの位置を移動させることによって実現され、このことを図２５に示す。そのような移動は上記のようにユーザによって実現することができる。従って、放射された光が網膜３００ｂによって誘導される場合にも、上記のようにコンタクトレンズ１を制御するために感光素子３０の出力信号を用いることができる。
【０１１０】
さらに、図２６〜図２８は、本発明の態様及び実施形態の断面図を示し、ここでは、光学装置１が、ユーザの眼３００の前に、例えば、ユーザの鼻の上に配置されるように構成されためがね１の形態で着用されるように設計される。光学装置１は、光学装置（例えば、めがね）の焦点距離を調節するために修正されるように構成された少なくとも１つのレンズ１０を備える。
【０１１１】
さらに、光学装置１は、光５１（具体的には、眼に支障のないＩＲ光）を放射するための光源５０と、光源５０からの放射された光５１を検出するため及び感光素子３０に当たる放射された光５１の強度に応じた出力信号をもたらすための、フォトダイオードとすることができる感光素子３０とを備える。
【０１１２】
本発明によれば、前記光源５０及び前記感光素子３０は、光学装置１（例えばめがね）がユーザによって適切に着用されるとき、光源５０によって放射された光５１が、前記感光素子３０に当たる前に、ユーザの眼３００、具体的には眼３００のレンズ３０１、角膜３００ｃ又は網膜３００ｂによって反射されるように、光学装置１又はめがね１のフレームの上或はめがね１の上に配置される。
【０１１３】
光源５０及び感光素子３０は、感光素子３０に当たる放射された光５１の強度分布が、ユーザの前記眼３００のレンズ３０１の形状が変化するとき、及び／又は光学装置１に対するユーザの眼３００の位置が変化する（即ち、下方又は内側を見ることにより）とき、変化し、その結果前記出力信号も変化するように、さらに構成される。
【０１１４】
光源５０及び素子３０のそのような配置は、例えば、図２６〜図２８に示すように放射された光をシミュレートすることによって見出すことができる。
【０１１５】
さらに、光学装置（例えば、めがね）１は、レンズ１０の焦点距離を調節するための機構３０３、及び前記機構３０３を制御するための制御ユニット３０４を備えることが好ましく、ここで、制御ユニット３０４は、前記出力信号を用いて前記機構３０３を制御するように構成される。
【０１１６】
詳細には、図２６が眼３００の０Ｄ（ジオプタ）への調節の状況を示す。
【０１１７】
さらに、図２７においては、眼３００の調節は２Ｄである。
【０１１８】
最後に、図２８は、今度は眼球が光学装置１又はそれぞれのめがねレンズに対して回転した場合の眼３００の０Ｄの調節に対応する。
【０１１９】
従って、感光素子３０からの出力信号は、光学装置又はめがね１を、具体的には光学装置又はめがね１の焦点距離を制御するために有利に用いることができる。
【図１】
2020064320.tif 000003
【図２】
2020064320.tif 000004
【図３】
2020064320.tif 000005
【図４】
2020064320.tif 000006
【図５】
2020064320.tif 000007
【図６】
2020064320.tif 000008
【図７】
2020064320.tif 000009
【図８】
2020064320.tif 000010
【図９】
2020064320.tif 000011
【図１０】
2020064320.tif 000012
【図１１】
2020064320.tif 000013
【図１２】
2020064320.tif 000014
【図１３】
2020064320.tif 000015
【図１４】
2020064320.tif 000016
【図１５】
2020064320.tif 000017
【図１６】
2020064320.tif 000018
【図１７】
2020064320.tif 000019
【図１８】
2020064320.tif 000020
【図１９】
2020064320.tif 000021
【図２０】
2020064320.tif 000022
【図２１】
2020064320.tif 000023
【図２２】
2020064320.tif 000024
【図２３】
2020064320.tif 000025
【図２４】
2020064320.tif 000026
【図２５】
2020064320.tif 000027
【図２６】
2020064320.tif 000028
【図２７】
2020064320.tif 000029
【図２８】
2020064320.tif 000030
【外国語明細書】
2020064320000001.pdf